(57)【要約】【課題】この発明の目的は、βチタンやＮＴ合金などの固い材料を使用したとしても焼きなまし等をすることなく容易に湾曲することができて、メッキ剥がれ等の心配がなく見栄えの良いテンプルを提供することにある。【解決手段】眼鏡の左右鎧に取り付けられて回動可能となっていて、後端部が湾曲し、この湾曲部にモダンが被嵌しているテンプルであって、該テンプルは、固い金属製であるとともに、湾曲部に複数の小径部を設けて、この小径部の作用で容易に湾曲することができるようにした。【選択図】        図２
2005062218.tif 000002
【特許請求の範囲】
【請求項１】
眼鏡の左右鎧に取り付けられて回動可能となっていて、後端部が湾曲し、この湾曲部にモダンが被嵌しているテンプルであって、該テンプルは、固い金属製であるとともに、湾曲部に複数の小径部が設けられていることを特徴とするテンプル。
【請求項２】
前記テンプルはβチタンやＮＴ合金を用いて形成されている請求項１記載のテンプル。
【請求項３】
前記湾曲部に設けた複数の小径部は一定の間隔をおいて配設されている請求項１記載のテンプル。
【発明の詳細な説明】
【０００１】
【発明の属する技術分野】
この発明はテンプルに関し、特に、後端部にモダンを被嵌するとともに、使用者に合致するように容易に屈曲することができるテンプルに関するものである。
【０００２】
【従来技術およびその問題点】
従来、テンプルは金属製のものが一般には多数存在し、そしてメガネフレームの両側に鎧を介して折り畳み自在に取り付けられて、使用者の耳部に引っ掛かって頭部を挟むようになっている。また、耳部に引っ掛かる金属の部分、すなわち後端部には金属製のテンプルが直接に耳部に接触しないように樹脂製のモダンが被嵌している。これにより耳部が痛くなるのを防止している。
【０００３】
また、このモダンが被嵌した後端部は下方に湾曲しているが、モダンを被嵌した状態で湾曲させるのは非常に難しく、熟練者の作業が必要となり、特に、βチタンやＮＴ（ニッケルチタン）合金を芯として使用した場合には材料自体が固いので難しい作業となっていた。
【０００４】
そのために、焼きなましが必要となり、この焼きなましで熱が作用するためにメッキがうまくつかない場合があり、メッキが剥がれる原因となっている。さらに、モダンを透明なものを使用した場合にはメッキが剥がれたのが見えるために見栄えが悪くなっていた。
【０００５】
【特許文献１】
特開平１０−２９３２７５号公報
【０００６】
この特許文献１に示すものは、テンプルの後端部を表出させるとともに、この後端部を嵌め込み可能な金属薄肉パイプを前端部に表出状態で有しているテンプルエンドを具え、テンプルの表出した後端部をテンプルエンドの金属薄肉パイプに挿入して一体に連結するとともに、このテンプルエンドを湾曲させるようになっている。
【０００７】
上記のように構成されている従来のテンプルにあっては、テンプルの後端部に湾曲可能なテンプルエンドを連結するようになっているために、外れる場合があるとともに、テンプルに対してテンプルエンドが回動してしまい、良好なる取り付けがずれてしまうという問題点を有していた。
【０００８】
この発明の目的は、テンプルに、特に、βチタンやＮＴ（ニッケルチタン）合金を芯として使用して材料自体が固い場合であっても容易に後端部を屈曲することができて、使用者に良いフィット感を与えることができ、しかも、後端部の湾曲部がずれることもなく長期間に渡って良好なフィット感を与えることが出来るテンプルを提供することにある。
【０００９】
【問題点を解決するための手段】
上記の目的を達成するためにこの発明は、眼鏡の左右鎧に取り付けられて回動可能となっていて、後端部が湾曲し、この湾曲部にモダンが被嵌しているテンプルであって、このテンプルは、固い金属製であるとともに、湾曲部に複数の小径部を設けた構成を採用したものであり、固い金属としてはβチタンやＮＴ合金を用い、また前記湾曲部に設けた複数の小径部は一定の間隔をおいて形成した手段を採用したものである。
【００１０】
【作用】
この発明は前記の構成を有しているので、βチタンやＮＴ（ニッケルチタン）合金を芯に用いて材料自体が固い場合でも焼きなましが不要なので、焼きなましで生じるメッキの剥がれが生じる恐れが全くなく透明のモダンを使用しても見栄えが良く、後端部にモダンを被嵌した状態でも、複数の小径部の作用によって容易に湾曲させることができる。しかも、この湾曲した状態を長期間に渡って保持することができるとともに、使用者に応じて湾曲状態を任意に変更することができることとなる。
【００１１】
【発明の実施の形態】
以下、この発明の実施の形態について説明する。図１はこの発明による眼鏡用のテンプルの概略図、図２はテンプルの後端部にモダンを被嵌した状態を示す概略図である。
【００１２】
図１および図２において、この発明によるテンプル１は、ブリッジによって連結されたレンズを保持する一対のリムの両端部に配設された鎧を介して回動可能に取り付けられており、鎧に設けた蝶番によって折り畳み、解放可能となっている。
【００１３】
そして、この発明によるテンプル１は、特に、βチタンやＮＴ（ニッケルチタン）合金が芯金として用いられており、このβチタンやＮＴ（ニッケルチタン）合金は非常に固いものである。したがって、容易に屈曲することが出来ないものである。
【００１４】
一方、前記テンプル１の後端部には、特に、湾曲部２に該当する部分には芯金よりも小径の複数の小径部３、３、……が所定の間隔を置いて形成されている。この小径部３、３、……の小径の径および間隔は、まず径に関しては芯金の径との関係で決定されるとともに、間隔は湾曲部２の湾曲状態によって決定されるものである。
【００１５】
すなわち、小径部３、３、……をそれ以外の部位よりも大幅に小径に形成すれば湾曲する時に容易に湾曲することができ、また、間隔を小さくすることで大きな曲率で湾曲することができるものである。
【００１６】
したがって、この発明によるテンプル１を使用した場合には眼鏡のデザインに応じた湾曲状態とすることができるように、小径部の径３、３、……、および小径部３、３、……の径間の間隔を決定すれば良いものである。
【００１７】
一方、テンプル１の湾曲部側を湾曲する際には手で容易に湾曲させることができ、焼きなまし等が不要であり、テンプル１の外面にはメッキ剥がれ等が生じる恐れがないので、透明のモダン４を使用したとしても見栄えが悪くなる恐れがまったくないものである。
したがって、簡単に湾曲させることができて、耳掛け時にフィット感を向上させることができるとともに、表面の仕上がり状態も良好にすることができる。
【００１８】
すなわち、手でテンプル１の湾曲部２を所望の状態に湾曲した後にモダン４を被嵌すると、例えば透明のモダン４を使用した場合でも焼きなまし等を行っていないので見栄えが悪くなることは無いものである。
【００１９】
なお、前記湾曲部２に小径部３、３、……を形成する手段としては、スウェージング、プレス、旋盤、転造等の種々な手段で形成することができるものである。
【００２０】
【発明の効果】
この発明は前記のようにテンプルの湾曲部に複数の小径部を形成し、この小径部で容易に湾曲できるようにしたので、湾曲のために湾曲部に焼きなまし等の作業を施すことが不要であり、全体の作業が容易であるとともに、メッキ剥がれ等が生じて見栄えが悪くなる恐れもまったくない。これにより透明のモダンを被嵌したとしても見栄えが悪くなることはなく、テンプルのデザインの幅を広げることができるという効果を有している。
また、材料としてβチタンやＮＴ合金等の固い材料を用いても容易に湾曲させることができ、しかも、小径部の間隔を短くすることで湾曲部を大きな曲率で湾曲させることができて耳掛け時のフィット感を向上させることができるという効果を有してる。
【図面の簡単な説明】
【図１】この発明による眼鏡用のテンプルの概略図である。
【図２】テンプルの後端部にモダンを被嵌した状態を示す概略図である。
【符号の説明】
１……テンプル
２……湾曲部
３……小径部
４……モダン
【図１】
2005062218.tif 000003
【図２】
2005062218.tif 000004